(57)【要約】【課題】本発明は歩行材たるコンクリートマットで可燃性の発泡合成樹脂マットを完全に覆う構造を確実に形成でき、施工が容易で端材発生が少なく低廉に施工できる床形成用マットと該マットを用いた床構造を提供する。【解決手段】方形のコンクリートマット２の下面に方形の発泡合成樹脂マット３を接着剤層４を介し一体に貼り合わせ、上記コンクリートマット２の四辺を上記発泡合成樹脂マット３の四辺から張り出して張り出し縁５を形成した床形成用マット１と、該床形成用マット１を用いた床構造。【選択図】        図２
2010138678.tif 000002
【特許請求の範囲】
【請求項１】
方形の歩行材マットの下面に方形の発泡合成樹脂マットを接着剤層を介し一体に貼り合わせ、上記歩行材マットの四辺を上記発泡合成樹脂マットの四辺から張り出して張り出し縁を形成したことを特徴とする床形成用マット。
【請求項２】
方形の歩行材マットの下面に方形の発泡合成樹脂マットを接着剤層を介して一体に貼り合わせ、上記歩行材マットの四辺を上記発泡合成樹脂マットの四辺から張り出して張り出し縁を形成して成る床形成用マットを用い、該床形成用マット群で施工面を覆工し、該覆工により隣接する床形成用マットの歩行材マット四辺の張り出し縁を互いに突き合わせ、該突き合わせにより隣接する床形成用マットの発泡合成樹脂マット四辺間に連通空隙を形成したことを特徴とする床構造。
【請求項３】
上記歩行材マットの張り出し縁の突き合わせ界面を自由接触面としたことを特徴とする請求項２記載の床構造
【請求項４】
上記歩行材マットの張り出し縁に、隣接する歩行材マットの張り出し縁と連結する連結手段を設けたことを特徴とする請求項１又は２記載の床形成用マットと該マットを用いた床構造。
【発明の詳細な説明】
【技術分野】
【０００１】
本発明は屋上又はバルコニー又はベランダ又はテラス等の床形成用マットに関する。又この床形成用マット群で覆工した上記屋上又はバルコニー又はベランダ又はテラス等の床構造に関する。
【背景技術】
【０００２】
特許文献１は屋上又はバルコニー又はベランダ又はテラス等の床下地に塗布防水層又はシート防水層を施し、該防水層の上面にネットを置き敷きし、該ネットの上面に発泡合成樹脂シートを密接して置き敷きし、該発泡合成樹脂シートの上面にコンクリートマットを置き敷きした床構造を開示している。
【０００３】
【特許文献１】特許３０５６４７４号公報
【発明の開示】
【発明が解決しようとする課題】
【０００４】
上記特許文献１に記載の発明によれば、歩行床材たるコンクリートマットに歩行荷重が加わった時に、防水層の上面の溜まり水が発泡合成樹脂シートの継ぎ目とコンクリートマットの継ぎ目を通し湧出するのを上記ネットにより分散し、所謂コンクリートマット上面への浮き水の現象を有効に防止することができる。又ネットにより形成された誘水間隙を通して溜まり水の排出を良好に促すことができる。
【０００５】
然しながら、上記床構造の工事に際してはコンクリートマットと発泡合成樹脂シートの置き敷き位置の個別割り出しが必要であり、加えて個別に敷設する作業が必要で施工に多大な手間を要するばかりか、多量の端材を発生する問題点を有し工費アップを招いている。
【０００６】
特に隣接するコンクリートマット相互の継ぎ目の直下に可燃性の発泡合成樹脂マットが存在するので、建築基準上必要な可燃材（可燃性の発泡合成樹脂マット）を不燃材（コンクリートマット）で覆い隠蔽する目的が確実に達成し難い問題点を有している。
【０００７】
又防水層上の溜まり水はコンクリートマットと発泡合成樹脂シートの界面に自由に浸入し、この雨水がコンクリートマットに歩行荷重が加わった時にコンクリートマットの継ぎ目から浮き水となって歩行面に湧出する問題点を有している。
【課題を解決するための手段】
【０００８】
本発明は上記諸問題点を解決する屋上又はバルコニー又はベランダ又はテラス等の床形成用マットと、該マットを用いた床構造を提供するものである。
【０００９】
本発明に係る床形成用マットは、方形のコンクリートマット等の歩行材マットの下面に方形の発泡合成樹脂マットを接着剤層を介し一体に貼り合わせ、上記歩行材マットの四辺を上記発泡合成樹脂マットの四辺から張り出して張り出し縁を形成した構造を有する。
【００１０】
又上記床形成用マット群で施工面を覆工し、該覆工により隣接する床形成用マットの歩行材マット四辺の張り出し縁を互いに突き合わせ、該突き合わせにより隣接する床形成用マットの発泡合成樹脂マット四辺間に連通空隙を形成した床構造にする。
【００１１】
上記歩行材マットの張り出し縁の突き合わせ界面は自由接触面とする。
【００１２】
上記歩行材マットの張り出し縁に、隣接する歩行材マットの張り出し縁と連結する連結手段を設け、該連結手段による歩行材マット間の連結を介して発泡合成樹脂マット相互を連結し、よって床形成用マット間を連結する構成とする。
【発明の効果】
【００１３】
本発明によれば、歩行材マット四辺の継ぎ目（突き合わせ線）の直下に可燃性の発泡合成樹脂マットが存在せず、該発泡合成樹脂マットを歩行材マットで完全に隠蔽する構造が確実に形成でき、可燃材を不燃材で覆わねばならない建築基準に適切に応えることができる。
【００１４】
又本発明によれば、歩行材マットによって現場施工時の敷設位置の割り出しを行うことができ、隣接する発泡合成樹脂マットの側面が突き合わされて歩行材マットの突き合わせ線間に間隙を生成する問題を確実に解消することができ、これにより現場施工を容易にし、端材の発生を最小限に止めることができる。
【００１５】
又本発明によれば、防水層上の雨水は上記連通間隙内に受容して排水を促すことができ、歩行荷重による浮き水を有効に防止することができる。
【００１６】
この場合、発泡合成樹脂マットと歩行材マットの重ね合わせ面間を接着する接着剤層の存在により、防水層上の雨水が両マット間の界面に浸入し、歩行材マットの継ぎ目から浮き水となる現象も有効に防止できる。
【００１７】
本発明によれば、施工手間を低減し、工期短縮と工費削減目的を有効に達成できる。
【発明を実施するための最良の形態】
【００１８】
以下本発明を実施するための最良の形態を図１乃至図８に基づき説明する。
【００１９】
本発明は特許文献１における上記諸問題点を解決する屋上又はバルコニー又はベランダ又はテラス等の床下地面を覆工する床形成用マット１と、該マット１を用いた床構造を提供するものである。
【００２０】
図１，図２に示すように、本発明に係る床形成用マット１は、方形の発泡合成樹脂マット３の上面に方形のコンクリートマット２等の歩行材マットの下面を重ね合わせ、該重ね合わせ面において合成樹脂系接着剤層４を介し一体に貼り合わせた複合マットから成る。即ち、歩行材マットたるコンクリートマット２と断熱材たる発泡合成樹脂マット３とを接着剤層４を介して貼り合わせた複合マットから成る。以下コンクリートマット２を歩行材マットと読み替えることができる。
【００２１】
上記歩行材マットとしては無機質系、木質系、金属系の板材、これらの複合板を含む。以下セメントと各種骨材の混練物で成形したコンクリートマット２を歩行材マットの代表例として説明する。
【００２２】
上記コンクリートマット２の四辺を上記発泡合成樹脂マット３の四辺から張り出して張り出し縁５を形成し、該張り出し縁５相互を突き合わせつつ施工面７に置き敷きし覆工する構成を有する。
【００２３】
例えば上記コンクリートマット２の四辺の張り出し縁５の張り出し寸法は１〜１０ｍｍとする。従ってコンクリートマット２の張り出し縁５の突き合わせ時における発泡合成樹脂マット３の四辺の側面１１間に形成される間隙は２〜２０ｍｍとする。
【００２４】
又上記コンクリートマット２とはセメントを硬化材とするマットであり、セメントを硬化媒体とし各種鉱物質材を骨材として用いたものを含む。骨材としては砂や石の粒子、鉱滓、補強繊維類、焼却灰等を使用できる。
【００２５】
上記コンクリートマット２は上面と下面が平面であり、該マット２の上面には縦又は／及び横方向の目地溝８を形成し、該目地溝８で多数の小ブロック９を画成する。
【００２６】
上記目地溝８をコンクリートマット２の厚みの二分の一以下にし、目地溝８底部の連結を歩行荷重によって割れを生ずる割れ誘発目地溝にし、該コンクリートマット２の下面に合成樹脂系の接着剤層４を介して発泡合成樹脂マット３を貼り付ける。上記コンクリートマット２と発泡合成樹脂マット３とは、その重合面の全面を上記接着剤層４を介して貼り合わせ、割れを生じても上記両マット２，３は一体貼り合わせ状態を維持する。
【００２７】
例えば上記コンクリートマット２の厚みを２０ｍｍ、発泡合成樹脂マット３の厚みを４０ｍｍにする等、コンクリートマット２の厚みを発泡合成樹脂マット３の厚みより充分に薄肉にする。
【００２８】
図３乃至図５に示すように、上記床形成用マット１群で屋上又はバルコニー又はベランダ又はテラス等の床下地（施工面）７を覆工する。該覆工によって隣接する床形成用マット１のコンクリートマット２四辺の張り出し縁５、即ちコンクリートマット２の張り出し縁５の四側面１０を互いに突き合わせ、該突き合わせにより隣接する床形成用マット１の発泡合成樹脂マット３四辺間（四側面１１間）に連通空隙６を有する床構造を形成する。よって歩行材（コンクリートマット２）と床下地７間に断熱材層（発泡合成樹脂マット３の集合層）を形成する。
【００２９】
上記コンクリートマット２の張り出し縁５の突き合わせ界面は自由接触面とする。ここに突き合わせとは隣接する張り出し縁５の側面１０を当接状態に配置した場合と、僅かな間隙を介し近接配置した状態を含む。
【００３０】
図３に示すように、上記連通空隙６は隣接する床形成用マット１において形成され、コンクリートマット２の張り出し縁５によって床全面に格子状の連通空隙６を形成し、該連通空隙６によってコンクリートマット２の張り出し縁５の突き合わせを保証すると共に、コンクリートマット２の張り出し縁５の突き合わせ線の直下に発泡合成樹脂マット３を存在させずにコンクリートマット２（不燃材）にて発泡合成樹脂マット３（可燃材）を完全に隠蔽する構成にする。
【００３１】
同時に連通空隙６内に床下地７上面に施された防水層１２上の雨水を受容し、コンクリートマット２の上面に加わる歩行圧によるその継ぎ目からの浮き水を防止する。
【００３２】
又コンクリートマット２と発泡合成樹脂マット３間は合成樹脂系接着剤層４を介して貼り合わされており、防水層１２上の雨水が該貼り合わせ界面に浸入することが無く、上記歩行圧により界面に浸入した雨水がコンクリートマット２の表面に浮き水となって滲出する現象を解消できる。
【００３３】
上記床下地（施工面）７はセメントモルタル（コンクリートを含む）又は木質材や無機材や金属材から成るパネル等であり、該床下地７の上面には防水層１２を施し、該防水層１２の上面に上記床形成用マット１を発泡合成樹脂マット３を以って置き敷きする。防水層１２の上面に押えモルタル層を形成する場合には、該押えモルタル層を介して防水層１２上に床形成用マット１を置き敷きする。
【００３４】
図４，図８は防水層１２の上面（押えモルタル層の上面）に下記のようにネット１３を敷設し、該ネット１３の上面に上記床形成用マット１を発泡合成樹脂マット３を以って置き敷きし床構造を形成した場合を示している。
【００３５】
再述すると、屋上又はバルコニー又はベランダ又はテラスの床下地７に塗布防水層１２又はシート防水層１２を施し、該防水層１２の上面に直接又は間接的にネット１３を置き敷きし、該ネット１３の上面に多数の上記床形成用マット１を密接して置き敷きし、隣接する床形成用マット１のコンクリートマット２四辺の張り出し縁５、即ちコンクリートマット２四辺の四側面１０を互いに突き合わせ、該突き合わせにより隣接する床形成用マット１の発泡合成樹脂マット３四辺間、即ち四側面１１間に連通空隙６を形成した床構造にする。
【００３６】
上記ネット１３は経線１９と緯線２０を一体成形して成る合成樹脂ネットを用い、該経線１９又は緯線２０の一方を他方の表面から突出した構造にし、該線状突出部１７を以って施工面７、即ち防水層１２上面にネット１３を敷設し、突出部１７間に縦方向又は横方向の連通空隙１８を形成し、該連通空隙１８内に水溜まりを形成し、該ネット１３の上面に上記床形成用マット１を発泡合成樹脂マット３を以って密集して置き敷きする。
【００３７】
図６，図７に示すように、上記コンクリートマットの張り出し縁５には隣接する床形成用マット１間を連結する連結手段を設ける。
【００３８】
上記連結手段の好ましい例示として、コンクリートマット２の対向する二辺又は四辺にマット１の上下面と側面１０に開放せる半円の凹欠部１４を設け、該凹欠部１４内にコンクリートマット２と一体な連結リング１５を設け、該連結リング１５の半分を凹欠部１４内に収容し、他の半分を側方へ突出し、コンクリートマット２の張り出し縁５相互の側面１０が近接又は当接して突き合わせられた時に、連結リング１５の突出した部分が互いに相手方の凹欠部１４内に収容され、隣接する連結リング１５，１５が隣接する凹欠部１４，１４の合致により形成された穴内において略重なり合う状態を形成できるようにする。この重ね合わせられた連結リング１５，１５相互を線材で結縛するか、螺子等のピン１６等にて連結し、隣接する床形成用マット１相互を連結する。
【００３９】
即ち、上記コンクリートマット２の張り出し縁５に上記連結リング１５に代表される連結手段を設け、該連結手段により隣接するコンクリートマット２の張り出し縁５相互を連結し、該連結手段によるコンクリートマット２間の連結を介して発泡合成樹脂マット３相互を連結し、よって床形成用マット１間を連結する構成とする。
【図面の簡単な説明】
【００４０】
【図１】床形成用マットを一部切欠して示す平面図。
【図２】床形成用マットの断面図。
【図３】上記床形成用マットを用いた床構造の平面図。
【図４】上記床形成用マットを用いた床構造の断面図。
【図５】上記床構造における隣接する床形成用マットのコンクリートマットの突き合わせ状態と同発泡合成樹脂マットの四辺間に形成された連通空隙を拡大視する断面図。
【図６】上記床形成用マット間を連結する連結手段をコンクリートマットの四辺に設けた例を示す平面図。
【図７】Ａは図６の連結手段を設けたコンクリートマットの断面図、Ｂは連結手段による連結部を拡大視する断面図。
【図８】Ａは上記床構造に用いるネットの平面図、Ｂは同断面図。
【符号の説明】
【００４１】
１…床形成用マット、２…コンクリートマット、３…発泡合成樹脂マット、４…接着剤層、５…張り出し縁、６…連通空隙、７…施工面、８…目地溝、９…小ブロック、１０…コンクリートマットの側面、１１…発泡合成樹脂マットの側面、１２…防水層、１３…ネット、１４…凹欠部、１５…連結リング、１６…ピン、１７…突出部、１８…連通空隙、１９…経線、２０…緯線。
【図１】
2010138678.tif 000003
【図２】
2010138678.tif 000004
【図３】
2010138678.tif 000005
【図４】
2010138678.tif 000006
【図５】
2010138678.tif 000007
【図６】
2010138678.tif 000008
【図７】
2010138678.tif 000009
【図８】
2010138678.tif 000010